【事件の表示】
　特願２００９−　２４３１６「データストリームの一部を異なるチャネルから同時に取り出すための方法および装置」拒絶査定不服審判事件〔平成２１年　４月３０日出願公開、特開２００９−　９５０６９〕について、次のとおり審決する。
【結　論】
　本件審判の請求は、成り立たない。
【理　由】
１．手続の経緯
　本件出願は，平成１４年８月３０日（パリ条約による優先権主張外国庁受理２００１年８月３０日（以下，「優先日」という。），米国）に出願した特願２００２−２５５７４４号の一部を平成２１年２月４日に新たな特許出願としたものであって，平成２４年４月２４日付け（発送：同年５月２日）で拒絶査定がなされ，これに対し，同年８月３０日に拒絶査定不服の審判請求がなされるとともに同日付けで特許請求の範囲についての補正がなされたものである。
　その後，当審より平成２５年９月１８日付け（発送：同年同月２５日）で拒絶理由（以下，「当審拒絶理由」という。）を通知したところ，平成２６年３月２０日付けで特許請求の範囲についての補正がなされるとともに，同日付けで意見書の提出があった。
　
２．当審拒絶理由
　当審拒絶理由は，概略，本願の特許請求の範囲に記載の各請求項に係る発明は，いずれも，本願の優先日前に頒布された刊行物である特開２００１−１９７０２８号公報（発明の名称：周波数多重データ伝送の送信装置ならびに受信装置，出願人：株式会社日立製作所，公開日：平成１３年７月１９日，以下，「引用例」という。）に記載された発明及び周知・慣用技術に基づいてその発明の属する技術の分野における通常の知識を有する者が容易に発明をすることができたものであるから，特許法第２９条第２項の規定により特許を受けることができない，というものである。
　
３．本願発明
　本願の請求項１〜２５に係る発明は，平成２６年３月２０日付け手続補正書によって補正された特許請求の範囲，明細書及び図面の記載からみて，その特許請求の範囲の請求項１〜２５に記載された事項により特定されるとおりのものと認められるところ，その請求項１に係る発明は，次のとおりである。
「第１の伝送チャネルを介した第１の搬送波信号および該第１の伝送チャネルとは異なりかつ離隔された第２の伝送チャネルを介した第２の搬送波信号を含む複数の搬送波信号を有するアナログ信号を受信するステップであって，前記第１の伝送チャネルが前記第２の伝送チャネルの周波数帯域とは離隔された周波数帯域を有し，前記第１の搬送波信号および第２の搬送波信号が第１のストリームからのデータを有し，および前記第２の搬送波信号が前記第１のストリームからのデータが点在する第２のストリームからのデータを有する，該ステップと，
　前記複数の搬送波信号をデジタルデータストリームに変換するステップと，
　前記デジタルデータストリームから，前記第１の搬送波信号および前記第２の搬送波信号により搬送されるデータを抽出するステップと，
　少なくとも前記第１の搬送波信号および前記第２の搬送波信号から抽出されたデータの部分を組み合わせて前記第１のストリームの少なくとも部分を形成するステップと，
を含み，
　前記抽出されたデータの部分は該抽出されたデータの部分に対応するものとして前記第１のストリームを識別するためのストリーム識別子情報と関連付けられ，前記ストリーム識別子情報は前記アナログ信号に含まれている，方法。」（以下，「本願発明」という。）
　
４．引用例に記載の事項・引用発明
（１）記載事項
　引用例には，「周波数多重データ伝送の送信装置ならびに受信装置」（発明の名称）に関し，次の事項ア．〜オ．が図面とともに記載されている。
　
ア．「【０００４】一方，新しく計画されているＢＳデジタル放送では，従来のＢＳアナログ放送の伝送チャンネル１チャンネルに，複数のデジタル化された従来の標準テレビジョン放送だけではなく，高精細テレビジョン放送を伝送する計画である。ＢＳデジタル放送の伝送については，１９９８年１１月の映像メディア学会誌（ｖｏｌ．５２  Ｎｏ．１１  １９９８）２４頁から３１頁の「ＢＳディジタル放送の方式と設備」に示されている。ＢＳデジタル放送では，約６０Ｍｂｐｓの伝送容量を持ち，１トランスポンダ（一中継器）の中で複数の変調方式が使用できることや，映像や音声，データなどのＴＳにフレーム構成を持たせることで複数のＴＳ（以下，複数ＴＳという）を伝送できるように新しいデータ形式で送られる。このデータ形式では，フレーム内の変調方式や複数ＴＳの構成の制御情報伝送には伝送多重制御信号（以下，ＴＭＣＣ信号という）を用いている。ＴＭＣＣ信号は郵政省令第５７号より，ＴＳの同期信号部分を用いて，主信号の前に１フレーム毎（＝４８スロット，１スロット＝２０４バイト）に分割伝送され，１スーパフレーム（＝８フレーム）を周期として伝送される。その構成は郵政省告示第２６０号に示され，伝送モード／スロット情報はデジタル復調手段の選択に用いられ，相対ＴＳ／スロット情報と相対ＴＳ／ＴＳＩＤ対応は希望するＴＳのＩＤ(ＴＳＩＤ)の選択出力に用いる。その他，変更指示番号，緊急情報等の送受信制御情報や拡張情報領域がある。」（４頁５欄）
　
イ．「【００１０】本発明は，複数のトランスポートストリームを有するＢＳデジタル放送で伝送速度２８．６１２Ｍｂｐｓ以上のＴＳを６４値などの多値ＱＡＭなどのデジタル変調で６ＭＨｚ単位のチャンネルでＣＡＴＶ伝送するなど，衛星や地上など無線系伝送路あるいはケーブルテレビなど有線系伝送路を用いた放送や通信で大容量のデジタルデータを有効に伝送するための周波数多重データ伝送の送信装置ならびに受信装置を提供する。」（５頁７欄）
　
ウ．「【００５４】図９は本発明の一実施形態である周波数多重データ伝送の送信装置ならびに受信装置を示す構成図で，ＢＳデジタル放送をＣＡＴＶ伝送する場合の構成例を示す。図９において，９０はＢＳデジタル放送の変調信号，９１ａ，９１ｍはＢＳデジタル受信機，９２ａ，９２ｍはデータ分離回路，９３ａ，９３ｂ，９３ｍは６４ＱＡＭ変調回路，９４ａ，９４ｂ，９４ｎは多重化回路，９０１ａ，９０１ｍはデジタル復調／復号回路，９０２ａ，９０２ｍはＴＭＣＣ復号回路，９２１ａ，９２１ｂは６４ＱＡＭ復調回路，９２２ａ，９２２ｂは誤り訂正回路，９２３はデータ分離合成回路，９２４はＴＳパケット分離回路，９２５はＭＰＥＧビデオデコーダ回路，９２６はオーディオデコーダ回路，９２７は受信端末側のＴＶ受像機，９３１ａ，９３１ｂ，９３１ｎは６４ＱＡＭ変調回路の基準クロック，９４１ａ，９４１ｂ，９４１ｎはパケット合成回路，９４２ａ，９４２ｂ，９４２ｎはヌルパケット生成回路，９４３ａ，９４３ｂ，９４３ｎは速度比較回路であり，図１と同じ番号は同一の機能ブロックを示す。
【００５５】屋外ユニット(図示せず)によって受信されたＢＳデジタル放送の変調信号９０は，ケーブルによって送信装置１内のＢＳデジタル受信機９１ａあるいは９１ｍ内のデジタル復調／復号回路９０１ａあるいは９０１ｍで選択されたチャネルのデジタル復調，誤り訂正やエネルギー拡散等の伝送路復号処理されたＢＳデジタル放送で伝送された複数のトランスポートストリームから，ＴＭＣＣ復号回路９０２ａあるいは９０２ｍによってデータ分離回路９２ａあるいは９２ｍで，選択された単一のトランスポートストリームを分離して，多重化回路９４ａ，９４ｂあるいは９４ｎに加えられる。速度比較回路９４３ａ，９４３ｂあるいは９４３ｎでは，６４ＱＡＭ変調回路９３ａ，９３ｂあるいは９３ｎの伝送速度の基になっている６４ＱＡＭ変調回路の基準クロック９３１ａ，９３１ｂあるいは９３１ｎの伝送速度情報とパケット合成回路９４１ａ，９４１ｂあるいは９４１ｎからの速度情報との比較をすることで速度情報比較を行い，速度誤差信号を得て，その速度誤差に応じてヌルパケット生成回路９４２ａ，９４２ｂあるいは９４２ｎからのヌルパケットを送出させる。このヌルパケットによって，多重化回路９４ａ，９４ｂあるいは９４ｎからの伝送速度が６４ＱＡＭ変調回路９３ａ，９３ｂあるいは９３ｎの伝送速度に合致できる。６４ＱＡＭ変調回路９３ａ，９３ｂあるいは９３ｎで６４ＱＡＭの多値デジタル変調される。
【００５６】受信装置２では，伝送路３に送出された複数のデジタル変調された被変調波を入力とし，複数のデジタル変調された被変調波から複数の周波数選択回路２１ａ，２１ｂによって必要な被変調波を選択し，その選択された６４ＱＡＭ被変調波を６４ＱＡＭ復調回路９２１ａ，９２１ｂで復調して，誤り訂正回路９２２ａ，９２２ｂで誤り訂正を行ったデジタルデータを，データ分離合成回路９２３で送信装置で合成したヌルパケットを分離するとともにデジタルデータを合成して送信された単一のトランスポートストリーム形式のデジタルデータに戻す。単一のトランスポートストリーム形式のデジタルデータはＴＳパケット分離回路９２４に入力されて，映像と音声のそれぞれのパケットを分離して，映像パケットデータはＭＰＥＧビデオデコーダ９２５でデコードされ，音声パケットはＭＰＥＧオーディオデコーダ９２６でデコードされて，映像信号と音声信号が得られて，ＴＶ受像機９２７に入力される。
【００５７】本実施形態では，送信装置１内のＢＳデジタル受信機９１ａからのＢＳデジタル放送で伝送されたデジタルデータがトランスポートストリーム形式で，３４.５ＭＨｚ帯域を有した１トランスポンダで毎秒５２．１７メガビットの伝送容量であるが，ＣＡＴＶの６ＭＨｚ帯域の６４ＱＡＭでの伝送容量は毎秒２９.１６２メガビットであるので，６ＭＨｚ帯域の６４ＱＡＭを２波を使って，その伝送容量の合計を毎秒５８.３２４メガビットとして，その伝送容量の差をヌルパケットを多重することで同期化しての伝送を実現できた。そのため，今後のＢＳデジタル放送で１トランスポートストリーム形式のデジタルデータで毎秒２９.１６２メガビット以上のサービスが実施されてもＣＡＴＶ伝送できる利点もある。
【００５８】また，本実施形態では，複数の６ＭＨｚ帯域６４ＱＡＭで伝送するので，ケーブルテレビにおける現在のアナログ地上テレビジョン再送信における，テレビジョン受信機の局部発振器の漏洩がＣＡＴＶ伝送路上に戻ったとしても影響を受けなく，伝送路の帯域を最大限に活用できる。」（９頁１６欄〜１０頁１７欄）
　
エ．「【００６２】図１１は本発明の一実施形態である周波数多重データ伝送の送信装置ならびに受信装置を示す構成図で，ＢＳデジタル放送をＣＡＴＶ伝送する場合の構成例を示す。図１１において，１１１ａ，１１１ｂはＴＳＭＦ付加多重化回路，１１２はＴＳＭＦ復号回路，１１３はＴＳ分離回路，１１１１ａ，１１１１ｂはパケット合成回路，１１１２ａ，１１１２ｂはヌルパケット生成回路，１１１３ａ，１１１３ｂは速度比較回路，１１１４ａ，１１１４ｂはＴＳＭＦ発生回路であり，図９と同じ番号は同一の機能ブロックを示す。
【００６３】本実施形態では，ＢＳデジタル放送で送られてくる緊急警報放送用の起動フラグ情報などをＴＳＭＦ発生回路１１１４ａ，１１１４ｂを有したＴＳＭＦ付加多重化回路１１１ａ，１１１ｂで受信装置に送ることを図９で示した実施形態に加わえた。
【００６４】ＢＳデジタル放送の変調信号９０は，ケーブルによって送信装置１内のＢＳデジタル受信機９１ａ内のデジタル復調／復号回路９０１ａで選択されたチャネルのデジタル復調，誤り訂正やエネルギー拡散等の伝送路復号処理がされたＢＳデジタル放送で伝送された複数のトランスポートストリームから，ＴＭＣＣ復号回路９０２によってデータ分離回路９２ａで，選択された複数（図では２）のトランスポートストリームを分離して，パケット合成回路１１１１ａ，１１１１ｂに加えられるとともに，ＴＭＣＣ復号回路９０２ａによって得られたＢＳデジタル放送で送られてくる情報などをＴＳＭＦ発生回路１１１４ａ，１１１４ｂに送出する。ＢＳデジタル放送で送られてくる情報である緊急警報放送時にＢＳデジタル放送用の受信機を起動する緊急警報放送用の起動フラグがあり，その情報はＢＳデジタル放送用のＴＭＣＣ信号で伝送されてくるので，そのＴＭＣＣ信号をＴＭＣＣ復号回路９０２ａによって復号して，ＴＳＭＦ発生回路１１１４ａ，１１１４ｂに送出する。また，ＢＳデジタル放送では，降雨によるサービス遮断を軽減するために，複数の変調方式を組合わせて伝送できる特徴を用いた階層化伝送がある。階層化伝送の例は，トレリス８相ＰＳＫ（ＴＣ８ＰＳＫ）を通常のテレビジョン放送（高階層）に，低ＣＮ比でも受信できるＱＰＳＫやＢＰＳＫを同一番組の内容が分かる最低限の情報（低階層）を伝送し，階層伝送記述子よる高階層と低階層の切り替えは，ＣＮ比の低下や誤り率の増加などを検知した信号を基に行なうことが示されている。この情報は，ＢＳデジタル放送を受信しているところでしか分からないので，その情報をＣＡＴＶの受信側端末装置に送るために，ＢＳデジタル受信機９１ａから得られるＢＳデジタル放送の受信状況をＴＳＭＦ発生回路１１１４ａ，１１１４ｂに送出する。図９と同様に伝送速度を整合して６４ＱＡＭ変調回路９３ａ，９３ｂで多値デジタル変調されるが，データ分離回路９２ａからの２ＴＳにＴＳＭＦ発生回路１１１４ａ，１１１４ｂからのＴＳＭＦ情報をパケット合成回路１１１１ａ，１１１１ｂで合成し，速度比較回路１１１３ａ，１１１３ｂでヌルパケット生成回路１１１２ａ，１１１２ｂからのヌルパケットを送出させて，パケット合成回路１１１１ａ，１１１１ｂからの速度を制御する。
【００６５】なお，ＴＳＭＦ発生回路１１１４ａ，１１１４ｂのＴＳＭＦ情報の例については，１９９９年７月２７日に発表された映像情報メディア学会技術報告（ｖｏｌ．２３，Ｎｏ．４８）の１３頁から１８頁の「複数ＭＰＥＧ−ＴＳのケーブルテレビ伝送実験」に記載されている。」（１０頁１８欄〜１１頁１９欄）
　
オ．「【００６６】受信装置２では，伝送路３に送出された複数のデジタル変調された被変調波を入力とし，複数のデジタル変調された被変調波から複数の周波数選択回路２１ａ，２１ｂによって必要な被変調波を選択し，その選択された６４ＱＡＭ被変調波を６４ＱＡＭ復調回路９２１ａ，９２１ｂで復調して，誤り訂正回路９２２ａ，９２２ｂで誤り訂正を行ったデジタルデータを，データ分離合成回路９２３で送信装置で合成したヌルパケットを分離するとともにデジタルデータを合成して送信された複数のトランスポートストリーム形式のデジタルデータに戻す。複数のトランスポートストリーム形式のデジタルデータからＴＳＭＦ復号回路１１２で，ＢＳデジタル放送で送られてくる緊急警報放送用の起動フラグ情報などを復号するとともにＴＳ分離の情報を得てＴＳ分離回路１１３によって複数のトランスポートストリーム形式のデジタルデータから希望の単一のトランスポートストリーム形式のデジタルデータを分離する。その後，ＴＳパケット分離回路９２４に入力されて，映像と音声のそれぞれのパケットを分離して，映像パケットデータはＭＰＥＧビデオデコーダ９２５でデコードされ，音声パケットはＭＰＥＧオーディオデコーダ９２６でデコードされて，映像信号と音声信号が得られて，ＴＶ受像機９２７に入力される。
【００６７】本実施形態では，複数のトランスポートストリーム形式のデジタルデータを送ることができるので，伝送データ内のヌルパケットを低減でき，データ伝送効率を上げることができる。
【００６８】また，本実施形態では，ＴＳＭＦ情報を多重伝送できるので，ＢＳデジタル放送で送られてくる緊急警報放送用の起動フラグ情報などの情報をＣＡＴＶ伝送できる利点もある。
【００６９】本実施形態では，複数のトランスポートストリーム形式のデジタルデータを送ることができるので，インターネット接続サービスなどのための他のデジタルデータも多重伝送することが可能となる。」（１１頁１９〜２０欄）
　
（２）引用発明
  前記記載ア．〜オ．及び図８，９，１１，２４ないし２７から，次の技術事項が読み取れる。
ａ．図１１に記載された実施例において，受信装置２が伝送路３（ＣＡＴＶ）を介して受信する信号は，送信装置１の６４ＱＡＭ変調回路９３ａ，９３ｂにおいてデジタル変調された２つの被変調波信号（「第１の被変調波信号」及び「第２の変調波信号」）を含んでおり，これらの被変調波信号は，図８に示されるように，ＣＡＴＶ伝送路上で互いに離隔した周波数帯を有する伝送チャネル（「第１のチャンネル」及び「第２のチャンネル」）を介して伝送される信号であって，アナログ信号であることは明らかである。
ｂ．上記６４ＱＡＭ変調回路９３ａ，９３ｂへ入力する情報信号は，データ分離回路９２ａに入力する２つのトランスポートストリーム（「第１のトランスポートストリーム」及び「第２のトランスポートストリーム」）を図２５に例示される手法で２本のストリームに分離してそれぞれにＴＳＭＦ情報やヌルパケットを付加して合成したＴＳであるから，上記６４ＱＡＭ変調回路９３ａ，９３ｂから出力する２つの被変調波信号のそれぞれが上記２つのトランスポートストリームからのデータを含んでいることは明らかである。
ｃ．受信装置２で周波数選択されて受信された上記２つの被変調波信号は，６４ＱＡＭ復調回路９２１ａ，９２１ｂ及び誤り訂正回路９２２ａ，９２２ｂで復調・誤り訂正された後，データ分離合成回路９２３で２つのトランスポートストリーム形式のデジタルデータに変換される。そして，該２つのトランスポートストリーム形式のデジタルデータから，ＴＳＭＦ復号回路１１２からのＴＳ分離の情報を用いてＴＳ分離回路１１３によって希望の単一のトランスポートストリーム形式のデジタルデータ（「第１のトランスポートストリーム」）が抽出されるが，このような抽出が行われる以上，上記ＴＳ分離の情報が，上記希望の単一のトランスポートストリーム形式のデジタルデータと関連付けられこれを識別するための情報として用いられていることは明らかである。また，ＴＳ分離の情報を含むＴＳＭＦ情報は，上記ア．，イ．に述べたように被変調信号に含まれるものであるから，上記ＴＳ分離の情報が，伝送路３を介して伝送されるアナログ信号に含まれていることも，明らかである。
　
　以上の技術事項ａ．ないしｃ．を総合すると，引用例の「周波数多重データ伝送の送信装置ならびに受信装置」が実行する方法に関する次の発明を認定することができる。
　
「第１のチャンネルを介した第１の被変調波信号および該第１チャンネルとは異なりかつ離隔された第２のチャンネルを介した第２の被変調波信号を含む複数の被変調波信号を有するアナログ信号を受信するステップであって，前記第１のチャンネルが前記第２のチャンネルの周波数帯域とは離隔された周波数帯域を有し，前記第１の被変調波信号および第２の被変調波信号が第１のトランスポートストリームからのデータを有し，および前記第２の被変調波信号が前記第１のトランスポートストリームからのデータが点在する第２のトランスポートストリームからのデータを有する，該ステップと，
　前記複数の被変調波信号をトランスポートストリーム形式のデジタルデータに変換するステップと，
　前記トランスポートストリーム形式のデジタルデータから，前記第１の被変調波信号および前記第２の被変調波信号により搬送されるデータを抽出するステップと，
　少なくとも前記第１の被変調波信号および前記第２の被変調波信号から抽出されたデータの部分を合成して前記第１のトランスポートストリームの少なくとも部分を形成するステップと，
を含み，
　前記抽出されたデータの部分は該抽出されたデータの部分に対応するものとして前記第１のトランスポートストリームを識別するためのＴＳ分離の情報と関連付けられ，前記ＴＳ分離の情報は前記アナログ信号に含まれている，方法。」（以下，「引用発明」という。）
　
５．対比
　本願発明と引用発明とを対比する。 
（１）まず，引用発明における「第１のチャンネル」，「第２のチャンネル」，「第１の被変調波信号」，「第２の被変調波信号」，「複数の被変調波信号」，「第１のトランスポートストリーム」，「第２のトランスポートストリーム」，「トランスポートストリーム形式のデジタルデータ」，「データの部分を合成して」は，本願発明における「第１の伝送チャネル」，「第２の伝送チャネル」，「第１の搬送波信号」，「第２の搬送波信号」，「複数の搬送波信号」，「第１のストリーム」，「第２のストリーム」，「デジタルデータストリーム」，「データの部分を組み合わせて」に，それぞれ相当する。
（２）引用発明の「第１のトランスポートストリームを識別するためのＴＳ分離の情報」と本願発明の「第１のストリームを識別するためのストリーム識別子情報」とを対比するに，両者は「第１のストリームを識別するための情報」である点で共通する。
（３）してみると，両者の一致点，相違点は，以下のとおりである。
　
（一致点） 
「第１の伝送チャネルを介した第１の搬送波信号および該第１の伝送チャネルとは異なりかつ離隔された第２の伝送チャネルを介した第２の搬送波信号を含む複数の搬送波信号を有するアナログ信号を受信するステップであって，前記第１の伝送チャネルが前記第２の伝送チャネルの周波数帯域とは離隔された周波数帯域を有し，前記第１の搬送波信号および第２の搬送波信号が第１のストリームからのデータを有し，および前記第２の搬送波信号が前記第１のストリームからのデータが点在する第２のストリームからのデータを有する，該ステップと，
　前記複数の搬送波信号をデジタルデータストリームに変換するステップと，
　前記デジタルデータストリームから，前記第１の搬送波信号および前記第２の搬送波信号により搬送されるデータを抽出するステップと，
　少なくとも前記第１の搬送波信号および前記第２の搬送波信号から抽出されたデータの部分を組み合わせて前記第１のストリームの少なくとも部分を形成するステップと，
を含み，
　前記抽出されたデータの部分は該抽出されたデータの部分に対応するものとして前記第１のストリームを識別するための情報と関連付けられ，前記情報は前記アナログ信号に含まれている，方法。」
（相違点） 
　「第１のストリームを識別するための情報」が，本願発明では「第１のストリームを識別するためのストリーム識別子情報」であるのに対し，引用発明では「第１のトランスポートストリームを識別するためのＴＳ分離の情報」である点。
　
６．当審の判断
　上記（相違点）について，検討する。
　引用発明の「ＴＳ分離の情報」は，図１１のＴＳＭＦ復号回路１１２から得られ（記載オ．の【００６６】），該ＴＳＭＦ復号回路１１２で復号されるＴＳＭＦ情報としてＴＭＣＣ信号が記載されている（記載エ．の【００６４】）。
　そして，図１１の実施例では伝送される情報はＢＳデジタル放送であるが，ＢＳデジタル放送においてＴＭＣＣ信号として伝送される情報に関して，「ＴＭＣＣ信号は郵政省令第５７号より，ＴＳの同期信号部分を用いて，主信号の前に１フレーム毎（＝４８スロット，１スロット＝２０４バイト）に分割伝送され，１スーパフレーム（＝８フレーム）を周期として伝送される。その構成は郵政省告示第２６０号に示され，伝送モード／スロット情報はデジタル復調手段の選択に用いられ，相対ＴＳ／スロット情報と相対ＴＳ／ＴＳＩＤ対応は希望するＴＳのＩＤ(ＴＳＩＤ)の選択出力に用いる。その他，変更指示番号，緊急情報等の送受信制御情報や拡張情報領域がある。」（記載ア．の【０００４】）と記載されている。
　該記載によれば，ＴＭＣＣ信号は，ＴＳの部分を識別するためのＴＳＩＤ，即ち，ストリーム識別子情報を含んでおり，これを引用発明における「ＴＳ分離の情報」として用いることは当業者であれば容易になし得たことである。
　
７．むすび
  以上のとおり，本願発明は，引用発明に基づいて当業者が容易に発明をすることができたものであるから，特許法第２９条第２項の規定により特許を受けることができない。
　したがって，本願の他の請求項に係る発明について審理するまでもなく，本願は拒絶すべきものである。
　よって，結論のとおり審決する。